(57)【要約】【課題】ドアクローザーを活用して、安全で操作が簡単なドアストッパーを提供する。【解決手段】ドアストッパーの取り付け板１０はドアクローザーの取り付けボルト４によりドアクローザーと共に扉に固定される。ブレーキドラム１１はドアクローザーの軸３に軸１３を介して連結固定される。ブレーキシュー１２はレバー２１に固定される。レバー２１は取り付け板１０に固定されたレバー支点２０で片端が回動自在に保持され、他端が取り付け板１０に固定されたカム支点２４で回動自在に保持された操作カム２３により回動しブレーキシュー１２をブレーキドラム１１に圧接する。ブレーキシュー１２をブレーキドラム１１のブレーキ作用によりドアクローザーの軸３の回動を止め扉を固定する。【選択図】図２
2008266985.tif 000002
【特許請求の範囲】
【請求項１】
扉に締結されるケーシングに両端が上下に突き出した回動軸を有するとともに、バネおよび油圧による前記回動軸の付勢・減衰手段を備えた本体と、基端が前記回動軸の一端に連結されて一体的に回動する扉側アームと、基端が固定部材に回動自在に連結され、先端が前記扉側アームの先端に回動自在に連結された固定側アームとからなり、扉の開動に伴って閉扉方向への位置エネルギーが蓄積されるドアクローザーを備えた扉のドアストッパー装置であって、前記扉またはドアクローザーに固定されるとともに軸が連結手段を介して前記回動軸の他端に連結されたドアストッパー装置。
【請求項２】
請求項１を内蔵するドアクローザー
【請求項３】
ドアストッパー装置の軸の固定部分が、電磁ブレーキである事を特徴とするドアストッパー。
【請求項４】
ドアストッパー装置の軸の固定部分が、ドラムブレーキ形状である事を特徴とするドアストッパー。
【請求項５】
ドアストッパー装置の固定操作手段は、電磁ブレーキを操作する制御コントローラーに信号を入力する事を特徴とする。
【請求項６】
ドアストッパー装置の固定操作手段は、ブレーキレバー位置状態を調整する事を特徴とするとする。
【発明の詳細な説明】
【技術分野】
【０００１】
本発明は、ドアクローザーの付いた開き戸形状のドアの開閉において、任意位置で扉を固定させるドアストッパーに関する。
【背景技術】
【０００２】
従来、開かれた扉を自動的に閉めるため、扉と壁または扉枠の間には、ドアクローザーが装備されている。このドアクローザーを備えた扉は、常に閉じようとする力が加わり、扉が閉まるため、扉を任意の開状態に固定するドアストッパーを用いて、扉を開状態に保っていた。この簡単なドアストッパーとしては、扉と床の間に挟みこみ摩擦抵抗で固定するタイプものである。このほかフックを引っ掛けて固定するものや、ドアに固定されたバーを倒すとストッパーとなって固定するものがある。また、これら以外にも、ドアクローザーにストップ機構を設け、ドアクローザーのストップ機構を調整することで、開閉状態を調整するタイプのものもある。
【特許文献１】特開２００１−３２６０４（Ｐ２００１−３２６０４Ａ）
【特許文献２】特開２００４−３１６１４７（Ｐ２００４−３１６１４７Ａ）
【特許文献３】特開２００３−３０１６５２（Ｐ２００３−３０１６５２Ａ）
【特許文献４】特開２００３−１９３７４２（Ｐ２００３−１９３７４２Ａ）
【発明の開示】
【発明が解決しようとする課題】
【０００３】
しかし、従来の特許文献１のようなタイプのドアストッパーは、扉の下部と床の間に、ストッパーを挿入して固定するため、固定するたびに屈んで操作しなければならず、力の弱い子供や膝などが悪いお年寄りなどが操作する際には、困難となる場合があった。また、ドアクローザーの閉じようとする力や扉の配置場所、床などの材質など条件によっては、この特許文献１のようなドアストッパーでは、所望の目的を達することが困難である場合があった。さらには、単体の製品であるため、紛失しやすいという問題もあった。特許文献４のようなタイプは、開閉を調整する機構が扉上部に設けられている場合が多く、簡単に調整することが困難であった。また、この特許文献４のようなタイプは、任意の開閉状態で扉を固定することが出来ないという問題もあった。そこで、本発明は、任意位置で扉を固定するドアストッパー、ドアクローザーを提供すること目的とする。
【課題を解決するための手段】
【０００４】
上記課題を解決するために、ドアストッパー装置は、扉に締結されるケーシングに両端が上下に突き出した回動軸を有するとともに、バネおよび油圧による前記回動軸の付勢・減衰手段を備えた本体と、基端が前記回動軸の一端に連結されて一体的に回動する扉側アームと、基端が固定部材に回動自在に連結され、先端が前記扉側アームの先端に回動自在に連結された固定側アームとからなり、扉の開動に伴って閉扉方向への位置エネルギーが蓄積されるドアクローザーを備えた扉のドアストッパー装置であって、前記扉またはドアクローザーに固定されるとともに軸が連結手段を介して前記回動軸の他端に連結されたことを特徴とする。ドアクローザー装置をこのように構成することにより、簡単に任意の開閉状態で扉を固定することが出来る。また、他の発明は、上記の発明に加えて、ドアクローザーにドアストッパー装置を備えることとする。このように構成することで、ドアクローザーにドアストッパー装置を内蔵したので、コンパクトな構成とすることができ、見た目にもすっきりしたものにすることができる。
【発明の効果】
【０００５】
本発明によれば、ドアクローザーの付いた開き戸形状のドアの開閉において、簡単に任意の開閉位置での扉の固定と解除ができる。
【発明を実施するための最良の形態】
【０００６】
以下、本発明の実施の形態を、図面を参照して説明する。図１は第１の実施の形態を示す。手動で操作するドラムブレーキ方式の１例。ドアストッパーの取り付け板１０はドアクローザーの取り付けボルト４によりドアクローザーと共に扉に固定される。ブレーキドラム１１はドアクローザーの軸３に軸１３を介して連結固定される。ブレーキシュー１２はレバー２１に固定される。レバー２１は取り付け板１０に固定されたレバー支点２０で片端が回動自在に保持され、他端が取り付け板１０に固定されたカム支点２４で回動自在に保持された操作カム２３により回動しブレーキシュー１２をブレーキドラム１１に圧接する。ブレーキシュー１２をブレーキドラム１１のブレーキ作用によりドアクローザーの軸３の回動を止め扉を固定する。
【０００７】
図２は第２の実施の形態を示す。ドアクローザー２の軸に電磁ブレーキユニットを取り付けた例。ドアストッパーの取り付け板１０はドアクローザーの取り付けボルト４によりドアクローザーと共に扉に固定される。ドアクローザーの軸３には軸１３を介してブレーキユニット３０のブレーキディスクが連結固定され、ブレーキユニット本体は取り付け板１０に固定される。取り付け板１０に電磁ブレーキ制御コントローラー３１が取り付けられる。扉に付けた操作スイッチ３２からの信号により電磁ブレーキ制御コントローラー３１が電磁ブレーキを作動させドアクローザーの軸３の回動を止め扉の固定と解除を行う。
【図面の簡単な説明】
【０００８】
【図１】本発明のドアストッパー装置を取り付けた構成図。
【図２】手動のドアストッパーを取り付けた扉の正面概念図。
【図３】電磁ブレーキを使ったドアストッパーを取り付けた扉の正面概念図。
【符号の説明】
【０００９】
１    扉
２    ドアクローザー
３    ドアクローザーの軸
４    ドアクローザー取り付けボルト
１０  取り付け版
１１  ブレーキドラム
１２  ブレーキシュー
１３  軸
２０  ブレーキレバー支点
２１  ブレーキレバー
２３  操作カム
２４  カム支点
３０  電磁ブレーキユニット
３１  電磁ブレーキ制御コントローラー
３２  操作スイッチ
４０  ドアストッパー装置
【図１】
2008266985.tif 000003
【図２】
2008266985.tif 000004
【図３】
2008266985.tif 000005